(57)【要約】      （修正有） 【課題】廃棄物の埋め立て施設の底面及び傾斜面の遮水シートの保護構造を提供する。【解決手段】廃棄物の埋め立て施設の底面１１０及び傾斜面１２０の遮水シート１２２を保護するための保護層１２４を保護ブロック１４０で代替し、その上部に透水層１２５を形成するので、遮水シート１２２の損傷が防止され、浸出水のろ過及び排水また廃棄物から発生するメタンガスの排出及び空気の流入現象である通気が円滑になる。埋め立て施設の底面１１０及び傾斜面１２０の遮水シート１２２の上に上記遮水シート１２２の保護とろ過、排水及び通気のために上記底面１１０及び傾斜面１２０の土木用の合成樹脂排水層１２３の上に保護層１２４を更に形成する底面及び傾斜面の遮水シートの保護構造であって、上記保護層１２４が軽量であり、廃ゴムチップ、廃樹脂チップとして成形した保護ブロック１４０の集合体で組合して施工する。【選択図】  図５
2006068737.tif 000002
【特許請求の範囲】
【請求項１】
廃棄物の埋め立て施設を構成する底面１１０及び傾斜面１２０に遮水のために形成する粘土層１２１と、
前記粘土層１２１の上に遮水のために形成する遮水シート１２２と、
前記遮水シート１２２の上に排水のために形成する土木用の合成樹脂の排水層１２３と、
前記土木用の合成樹脂の排水層１２３の上に遮水シート１２２の保護とろ過、排水、通気のために形成する保護層１２４で構成される廃棄物の埋め立て施設の底面及び傾斜面の遮水シートの保護構造であって、
前記保護層１２４は浸出水の排水と通気が可能とするように廃ゴムチップ、廃樹脂チップで成形されチップの間の空間を有するボディー１４１を含み、パズル式で組み合わせるように形成される保護ブロック１４０の集合体で構成されることを特徴とする廃棄物の埋め立て施設の底面及び傾斜面の遮水シートの保護構造。
【請求項２】
前記保護ブロック１４０のボディー１４１では浸出水の排水と通気のために複数個の通孔１４５を形成することを特徴とする請求項１記載の廃棄物の埋め立て施設の底面及び傾斜面の遮水シートの保護構造。
【請求項３】
前記保護ブロック１４０のボディー１４１では隣接の保護ブロック１４０との結束のためにロープ１５０が通過するように形成した連結孔１４３と連結溝１４４を形成することを特徴とする請求項１記載の廃棄物の埋め立て施設の底面及び傾斜面の遮水シートの保護構造。
【請求項４】
前記保護ブロック１４０のボディー１４１の一側面では浸出水の排水と通気のために複数個の通気溝１４２を形成することを特徴とする請求項１記載の廃棄物の埋め立て施設の底面及び傾斜面の遮水シートの保護構造。
【発明の詳細な説明】
【技術分野】
【０００１】
本発明は、廃棄物の埋め立て施設の底面及び傾斜面の遮水シートの保護構造に関するもので、特に遮水シートが保護され、ろ過、排水、通気が円滑になり好気性の埋め立て施設を可能にする廃棄物の埋め立て施設の底面及び傾斜面の遮水シートの保護構造に関するものある。
【背景技術】
【０００２】
図１は従来の技術が適用された廃タイヤを利用した廃棄物の埋め立て施設を表す断面図、図２は従来の技術が適用された廃タイヤを利用した廃棄物の埋め立て施設に使用される廃タイヤを表す斜視図、図３は従来の技術が適用された廃タイヤを利用した廃棄物の埋め立て施設に使用される廃タイヤの連結構造を表す斜視図、図４は従来の技術が適用された廃タイヤを利用した廃棄物の埋め立て施設を構成する保護層を表す正面図で、図１〜図４を参照して背景技術を説明する。
【０００３】
一般的に、廃棄物の埋め立て施設は、窪みあるいは山と山の間に廃棄物を埋め立てる施設である。廃棄物自体の内部で発生した浸出水、雨が降った際に廃棄物の内部へ雨水が吸収されて発生する汚染された浸出水が地下水と土壤を汚染する。
【０００４】
従って、このような環境汚染を防止するために、一般的な廃棄物の埋め立て施設を形成する底面及び傾斜面に、粘土で遮水層を形成し、遮水シートを敷いた後、その上に排水層を形成してから、廃棄物を埋めた後、上部を覆土する。
【０００５】
しかしながら、上記の廃棄物は自重により、およそ５年ほどの月日を経ると、廃棄物の高さの約３０％の沈下現象が発生する。これにより、上記傾斜面の遮水シートと中央へ下向に傾斜になる底面の遮水シートは引っ張り力によって引き裂かれるため汚染された浸出水が地下水と土壤へ吸収され環境汚染の主要因となっている。
【０００６】
さらに、上記傾斜面は通気性が悪いので、空気の流入が遮断される。このため、埋め立て施設は嫌気性を有することになり、廃棄物の分解が不可能になって廃棄物の埋め立て施設の安定化が実現できない。
【０００７】
また、上記傾斜面を通して廃棄物の埋め立て施設の内部から発生するメタンガスの排出が容易でないため、埋め立て施設の内部の体積膨脹によって爆発が起こる場合、不等沈下現象が発生して、上記遮水シートが損なわれる。
現在、このような問題点を解決するために廃タイヤを利用した廃棄物の埋め立て施設の底面及び傾斜面の遮水シートの保護構造が注目を引いているが、やはり多くの問題点を有する。
【０００８】
以下、上記廃タイヤを利用した廃棄物の埋め立て施設の底面及び傾斜面の遮水シートの保護構造を説明する。
埋め立て施設を構成する底面１０及び傾斜面２０は、遮水のために粘土層２１を形成した後、遮水シート２２を敷き、上記遮水シート２２の上に浸出水の排水のために土木用の合成樹脂の排水層２３を形成し、上記粘土層２１の上に砂層だけを形成する。
【０００９】
そして、廃棄物の沈下により遮水シート２２が引き裂かれることを防止し、排水、ろ過及び通気のために砂４３が充填された保護層２４を土木用の合成樹脂の排水層２３もしくは 砂層の上に形成する。次に保護層２４の施工の過程を説明する。
【００１０】
接地面４１に複数個の通孔４２が穿孔された廃タイヤ４０を互いに接するように並べ立て、上記通孔４２にロープ５０を通過させて、複数個の廃タイヤ４０を結束させる。更に、各廃タイヤ４０の内部と各廃タイヤ４０の間にろ過、排水並びに通気の機能をするように砂４３を充填する。
【００１１】
上記保護層２４は、各廃タイヤ４０の接地面４１に形成された複数個の通孔４２と各廃タイヤ４０の内部及び間に充填された砂４３がろ過、排水の機能を果たすので浸出水をろ過して外部へ排出する。
【００１２】
更に、傾斜面２０に施工された保護層２４を通してガスが外部へ排出され、外部から空気が流入されるようになるので、廃棄物の埋め立て施設の内部を好気性を有するようにして、微生物の廃棄物の分解活動を通して廃棄物の埋め立て施設の安定化を目的としている。
しかしながら、このような従来の技術が適用された廃棄物の埋め立て施設の底面及び傾斜面の遮水シートの保護構造は次のような問題点を有する。
【００１３】
傾斜面２０に遮水シート２２を保護するため、遮水シート２２上に砂４３が充填された廃タイヤ４０を並べ立てるが、高重量であるため、施工中に廃棄物の埋め立て施設の外部で廃タイヤ４０をロープを通して支持するくい４５が引き抜かれたり、ロープ５０が切られたりすることがよくある。
また、廃タイヤ４０の上に廃棄物６０が充填される場合、重力の中心へより大きな荷重が作用するため、上記のように、くい４５が引き抜かれたり、ロープ５０が切られたりして、遮水シート２２と共に沈下し、遮水シート２２が引き裂かれることが多い。
【００１４】
底面１０は中央に向かって下向きに傾斜になるように形成され、廃棄物６０の重量が上部から加わり、遮水シート２２が損なわれることがよくある。
更に、保護層２４を構成する廃タイヤ４０に充填される砂４３の場合、透水係数が低いので、浸出水の排水が容易でなく、廃棄物から発生するメタンガスの排出が難しく、埋め立て層の内部で体積膨脹による爆発現象が発生し、不等沈下の現象が誘発されて傾斜面２０の遮水シート２２が損なわれるという問題点がある。
【００１５】
更に、上記廃タイヤ４０の場合、通孔４２を透水係数が低い砂４３が閉塞しているので、廃タイヤ４０の内部に砂４３が充填され、空気の流入が不可能になり好気性の埋め立て施設が不可能となる。
【発明の開示】
【発明が解決しようとする課題】
【００１６】
本発明では、上記のような問題点を解決するため、通常的に施工される保護層を形成する構造を改善することにより、遮水シートが永久的に保護され、円滑な排水及びろ過が可能となる。これにより、廃棄物から発生するメタンガスの排気による不等沈下現象が防止されるため遮水シートが保護される。本発明は、空気流入が容易になって、好気性の廃棄物の埋め立って施設を可能にし、環境を保護することを主目的とする。
【発明の効果】
【００１７】
本発明は、廃棄物の埋め立て施設の底面及び傾斜面の遮水シートを保護するための保護層を保護ブロックで構成し、その上部に透水層を形成するので、遮水シートの損傷が防止され、浸出水のろ過及び排水、廃棄物から発生するメタンガスの容易な排出が可能になる。そのため、廃棄物の不等沈下現象が防止され、空気の流入が円滑になり、好気性構造の領域を拡大する。これにより、廃棄物の分解環境が改善され、埋め立て地を早期に安定化することができるので、浸出水の水質を改善し、資源再活用の効果がある。
【発明を実施するための最良の形態】
【００１８】
以下、上記目的を果たすための本発明の望ましい実施形態と作用を図に基づいて説明する。
図５は、本発明の技術が適用された廃棄物の埋め立て施設を表す断面図である。図６(a)、(b)、(c)は本発明の技術が適用された廃棄物の埋め立て施設の保護層を構成する様々な形状の保護ブロックを表す斜視図である。図７は図６(b)をA方向から見た平面図で、 図8は図６(b)をB方向から見た側面図である。図９は図６(b)として表した保護ブロックの実施例を表す斜視図であり、図１０は図６(c)として表した保護ブロックの実施例を表す斜視図である。
【００１９】
本発明の技術が適用される廃棄物の埋め立て施設の底面及び傾斜面の遮水シートの保護構造は、一般的に底面１１０及び傾斜面１２０に遮水のために粘土層１２１を形成した後、遮水シート１２２を敷き、上記遮水シート１２２の上に浸出水の排水のために土木用の合成樹脂（合成樹脂の不織布）の排水層１２３を形成する。これにより、上記土木用の合成樹脂の排水層１２３の上の遮水シート１２２が引き裂かれることを防止し、排水及びろ過また廃棄物の内部から発生するメタンガスの排出および空気の流入、即ち、通気のために保護層１２４を備える。
【００２０】
本発明では、廃棄物の埋め立て施設の遮水シート１２２の上部に位置する保護層 １２４を改善するため、浸出水のろ過、排水、またメタンガスの排出及び空気の流入が円滑になる。これによって廃棄物の不等沈下現象による遮水シート１２２の損傷を防止し、廃棄物の埋め立て施設の好気性または準好気性が可能になり、早期の安定化が可能になって遮水シート１２２の損傷を防止することを特徴とする。
【００２１】
本発明は、上記底面１１０及び傾斜面１２０に、軽量で、好気性または準好気性が可能な廃ゴムチップもしくは廃樹脂チップを接着剤と混合して成形し、加壓成形などの方法で形成した保護ブロック１４０を組み合わせた後、ロープ１５０で結束することで、保護層１２４を形成し、上記保護層１２４の上に浸出水のろ過のために砂利が混合された砂など透水率の高い物質で構成された透水層１２５をより多く形成する。
【００２２】
上記保護ブロック１４０は、パズル式で各保護ブロック１４０が組み合わせるように形成され、廃ゴムチップまたは廃樹脂チップで構成されてチップ間の空間を通して排水または通気を可能にして、廃棄物の埋め立て場の好気性または準好気性が可能とするように構成されたボディー１４１と、上記ボディー１４１に排水及び通気のための複数個の通孔１４５を構成し、一側面に排水及び通気のための複数個の通気溝１４２を形成して、ロープ１５０で各保護ブロック１４０を結束するように連結孔１４３と連結溝１４４を形成する。
【００２３】
上記保護ブロック１４０の一例として、図６(b)のようにその形が十字形である場合、前面と後面を貫通する複数個の通孔１４５を形成し、上端と下端そして上下部１４６、１４７両側面に連結孔１４３を穿孔し、左右側の終端１４８、１４９に垂直に連結溝１４４が形成されるので、組み合わせた後に、ロープ１５０の結束が容易な構成になる。
【００２４】
保護ブロック１４０は上記の十字形に限定されることなく、組み合わせられるパズルの形状であれば、どれも可能であり、ロープ１５０の結束が可能にするように連結孔１４３と連結溝１４４が形成されれば、問題ない。
【００２５】
以下、本発明における上記十字形の保護ブロック１４０を一例として説明する。
上記のような複数個の保護ブロック１４０を上記保護層１２４を構成するようにするために、まず、保護ブロック１４０の左右側の終端１４８、１４９を接するようにして、各連結溝１４４が互いに符合して垂直孔を形成する。且つ、上下に形成された凹入溝１５５で保護ブロック１４０の上部１４６あるいは下部１４７を流入する。
【００２６】
したがって、保護ブロック１４０の上下端に形成された連結孔１４３は互いに符合する連結溝１４４と連通され、前後方向に形成された通孔１４５の場合、底面１１０と傾斜面１２０の透水層１１５、１２５と連通される。
このように、組み合わせられた保護ブロック１４０の結束のために上下端に形成された連結孔１４３と互いに符合する連結溝１４４を通して縦にロープ１５０を通過するようにし、互いに符合する左右側の連結孔１４３を通して横にロープ１５０を通過させて互いに結束させる。
【００２７】
且つ、上記結束された複数個の保護ブロック１４０をロープ１５０によって廃棄物の埋め立て施設の外部に備えられたくい１５８などの支持具によって支える。
このように、廃棄物の埋め立て施設の底面１１０及び傾斜面１２０に施工された保護層１２４の上面に砂と砂利で形成された透水層１２５を形成して、浸出水がろ過されて排水された後、保護ブロック１４０の通孔１４５及び廃ゴムチップ、廃樹脂チップで構成されたボディー１４１を通して排水されるようにする。上記透水層１２５を形成する理由は、廃棄物１６０が底面１１０と傾斜面１２０で施工された保護ブロック１４０の通孔１４５を閉塞することを防止し、浸出水をろ過するためである。
【００２８】
上記で砂利を混合することで、砂の透水率が改善され、保護ブロック１４０の内部を無理に砂と砂利で充填しないようにするので、保護層１２４の重さを減らすことができ、排水も通気も円滑にすることができる。
【００２９】
上記保護層１２４は軽量の廃ゴムチップまたは廃樹脂チップで成形されているため、沈下により遮水シート１２２が損傷される現象を防止することができる。廃ゴムチップあるいは廃樹脂チップの間には空間が自然に形成されるため浸出水の排水及び通気が円滑になり、浸出水の水質を改善することができる。これにより廃棄物から発生するメタンガスの排出が容易となって廃棄物の不等沈下現象を防止することができ、空気の供給が円滑になるため、微生物の廃棄物の分解過程が促進され、廃棄物の埋め立て場の好気性または準好気性が早速に実現される。
【００３０】
更に、廃棄が困難な廃ゴムチップ、または廃樹脂チップを廃棄物の埋め立て場の安定化のための保護ブロック１４０として再生することで、資源を再活用するという効果が大きい。上記廃ゴムチップ、あるいは廃樹脂チップは無償で供給される材料であるため、廃棄物の埋め立て場の施工予算を減らすことができる。
【図面の簡単な説明】
【００３１】
【図１】図１は従来の技術が適用された廃タイヤを利用した廃棄物の埋め立て施設を表す断面図。
【図２】図２は従来の技術が適用された廃タイヤを利用した廃棄物の埋め立て施設に使用される廃タイヤを表す斜視図。
【図３】図３は従来の技術が適用された廃タイヤを利用した廃棄物の埋め立て施設に使用される廃タイヤの連結構造を表す斜視図。
【図４】図４は従来の技術が適用された廃タイヤを利用した廃棄物の埋め立て施設を構成する保護層を表す正面図。
【図５】図５は本発明の技術が適用された廃棄物の埋め立て施設を表す断面図。
【図６】図６(a)、(b)、(c)は本発明の技術が適用された廃棄物の埋め立て施設の保護層を構成する様々な形状の保護ブロックを表す斜視図。
【図７】図７は図６(b)をA方向から見た平面図。
【図８】図8は図６(b)をB方向から見た側面図。
【図９】図９は図６(b)として表した保護ブロックの実施例を表す斜視図。
【図１０】図１０は図６(c)として表した保護ブロックの実施例を表す斜視図。
【符号の説明】
【００３２】
１２０：傾斜面
１２１：粘土層
１２２：遮水シート
１２４：保護層
１４０: 保護ブロック
【図１】
2006068737.tif 000003
【図２】
2006068737.tif 000004
【図３】
2006068737.tif 000005
【図４】
2006068737.tif 000006
【図５】
2006068737.tif 000007
【図６】
2006068737.tif 000008
【図７】
2006068737.tif 000009
【図８】
2006068737.tif 000010
【図９】
2006068737.tif 000011
【図１０】
2006068737.tif 000012